(57)【要約】【課題】  上部に溜まった水を確実かつ円滑に排水することができ、しかもブラケットについての設計自由度の向上を図り得るような構成のブラケット取付部の水抜き構造を提供する。【解決手段】  車体（例えば、ストラットタワー１）に取付けられるブラケット２０の取付片部２１に、この取付片部２１の上端箇所２１ａから上下中間箇所βまで上下方向に延びる水抜き用の溝部２３を形成すると共に、この溝部２３の下端箇所（すなわち、上下中間箇所β）において溝部２３に連通する水抜き用開口２４を形成し、この水抜き用開口２４をブラケット２０の取付片部２１において車体の側部の空間３１に開放する。【選択図】        図２
2006056489.tif 000002
【特許請求の範囲】
【請求項１】
車体とこの車体に取付けられたブラケットの溝部とにより形成される水抜き孔を通して水抜きを行うためのブラケット取付部の水抜き構造において、前記車体に取付けられる前記ブラケットの取付片部に、前記取付片部の上端箇所から上下中間箇所まで上下方向に延びる水抜き用の溝部を形成すると共に、前記溝部の下端箇所において前記溝部に連通する水抜き用開口を形成し、前記水抜き用開口を前記ブラケットの取付片部において前記車体の側部の空間に開放したことを特徴とするブラケット取付部の水抜き構造。
【請求項２】
前記水抜き用開口を、前記溝部よりも幅広に形成して、前記溝部の左右両側にそれぞれ張り出す形状にしたことを特徴とする請求項１に記載のブラケット取付部の水抜き構造。
【請求項３】
前記ブラケットの取付片部のうち前記水抜き用開口よりも下方の部分を、溝部のない形状にしたことを特徴とする請求項１又は２に記載のブラケット取付部の水抜き構造。
【請求項４】
前記ブラケットは、サスペンションストラットを収容するストラットタワーに取付けられるブラケットであることを特徴とする請求項１乃至３の何れか１項に記載のブラケット取付部の水抜き構造。
【発明の詳細な説明】
【技術分野】
【０００１】
本発明は、ブラケット取付部の水抜き構造に関し、例えば、サスペンションストラットを収容するストラットタワー（車体）にブラケットを取付けて成るブラケット取付部に適用して好適な水抜き構造に関する。
【背景技術】
【０００２】
車体にはブラケットを介して各種の自動車部品が装着されるようになっている。例えば、図６に示すように、自動車のエンジンルームの左右両側部に設けられたサスペンションストラット収容用のストラットタワー（サスペンションタワー）１には、その上端の側面１ａにブラケット２がスポット溶接Ｗや部分溶接などの手段にて溶接結合されている。従来より用いられているブラケット２は、図７に示すように、例えば断面ほぼＬ字形状のプレス成形品であって、ストラットタワー１の上端の側面１ａに取付けられる取付片部３と、この取付片部３の上端においてほぼ直角に屈曲成形されている部品保持片部４とをそれぞれ有している。そして、上述の部品保持片部４には、例えば３つの部品取付用のボルト挿通孔５が設けられている。かくして、これらのボルト挿通孔５を利用することによって、各種の自動車部品（例えば、図外のリレーボックスなど）がブラケット２を介してストラットタワー１に取付けられるようになっている。なお、図７において、６はサスペンションアッパパネルである。
【０００３】
一方、上述のブラケット２は、一般に、既述の如くスポット溶接Ｗや部分溶接などにてストラットタワー１の上端の側面１ａに取付けられるので、このストラットタワー１とブラケット２の取付片部３との間に隙間Ｓ（図４参照）が存在する場合が多い。そのため、水（雨水や洗車水などの流動液を含む）が既述の隙間Ｓに侵入すると共に、ストラットタワー１の上面部１ｂとブラケット２の上端部分２ａとにより形成される角部７（図６及び図８参照）に水が溜まってしまい、これが錆の発生や品質低下の原因となる。
【０００４】
このような不具合をなくすためには、ブラケット２をストラットタワー１の上端の側面１ａに線溶接によりこれらの接合箇所の全てにわたって溶接結合するようにすれば良い。しかし、このような構成を採用すると、溶接工数が増加すると共に溶接時間が多くなり、コスト高になるという問題を生じる。
【０００５】
また、上述のような不具合を解消する手段としては、図６及び図７において一点鎖線で示すように、上下方向に沿って取付片部３の上下幅の全域にわたって延びる溝部（ビード）８をブラケット２の取付片部３にプレス加工などにて屈曲成形し、この溝部８とストラットタワー１の上端の側面１ａとの間に水抜き孔９を設けるように構成することが考えられる。この場合には、前記角部７に溜まった水を前記水抜き孔９を通してブラケット２の下方の空間に流すことが可能となる（図８参照）。
【発明の開示】
【発明が解決しようとする課題】
【０００６】
しかしながら、ブラケット２に溝部８を設けるような構成を採用した場合には、次のような問題点がある。すなわち、ブラケット２に設ける溝部８の幅が狭いと、水１０の表面張力により水１０が水抜き孔９内で円滑に流れずにその内部に留まった状態になってしまうおそれがある。
【０００７】
また、ブラケット２の取付片部３に上下方向の全域に延びる溝部８を設けなくてはならないため、設計上の制約となることが問題となる。例えば、ブラケット２に部品取付部分を設けるためにブラケット２を既述の如くＬ字状に曲げ加工したり、或いはコ字状に曲げ加工する場合に、溝部８があると、ブラケット２の剛性が必要以上に大きくなり、加工しにくいという不具合を生じる。また、溝部８の存在により、この溝部８が設けられているブラケット部分を他の部品のステーや台座などに利用できず、設計自由度が小さいといった問題点がある。
【０００８】
本発明は、このような問題点に鑑みてなされたものであって、その目的は、上部に溜まった水を確実かつ円滑に排水することができ、しかもブラケットについての設計自由度の向上を図り得るような構成のブラケット取付部の水抜き構造を提供することにある。
【課題を解決するための手段】
【０００９】
上述の目的を達成するために、本発明では、車体とこの車体に取付けられたブラケットの溝部とにより形成される水抜き孔を通して水抜きを行うためのブラケット取付部の水抜き構造において、前記車体に取付けられる前記ブラケットの取付片部に、前記取付片部の上端箇所から上下中間箇所まで上下方向に水抜き用の溝部を形成すると共に、前記溝部の下端箇所すなわち前記上下中間箇所前記溝部に連通する水抜き用開口を形成し、前記水抜き用開口を前記ブラケットの取付片部において前記車体の側部の空間に開放している。
また、本発明では、前記水抜き用開口を、前記溝部よりも幅広に形成して、前記溝部の左右両側にそれぞれ張り出す形状にしている。
また、本発明では、前記ブラケットの取付片部のうち前記水抜き用開口よりも下方の部分を、溝部のない形状にしている。
また、本発明では、前記ブラケットは、サスペンションストラットを収容するストラットタワーに取付けられるブラケットであるようにしている。
【発明の効果】
【００１０】
請求項１に記載の本発明は、車体とこの車体に取付けられたブラケットの溝部とにより形成される水抜き孔を通して水抜きを行うためのブラケット取付部の水抜き構造において、車体に取付けられるブラケットの取付片部に、取付片部の上端箇所から上下中間箇所まで上下方向に水抜き用の溝部を形成すると共に、溝部の下端箇所において溝部に連通する水抜き用開口を形成し、水抜き用開口をブラケットの取付片部において車体の側部の空間に開放するようにしたものであるから、車体とブラケットの溝部とで形成される水抜き孔の上下方向の長さは、取付片部の上下幅にわたって形成される場合よりも短くなるため、水抜き孔を通る水の表面張力を小さく抑えることができると共に、溝部の下端に連通する水抜き用開口の存在により、前記水抜き孔の下端に達した水を確実かつ円滑に車体の側部の空間に排水（放出）することができる。
【００１１】
また、請求項２に記載の本発明は、水抜き用開口を、溝部よりも幅広に形成して、溝部の左右両側にそれぞれ張り出す形状にしたものであるから、溝部に連通する水抜き用開口を溝部より幅広にしたことにより溝部の下端に達した水はいわゆる「水切れの良い状態」で溝部から放出されることとなり、より一層確実でかつ円滑な排水を行うことが可能となる。
【００１２】
また、請求項３に記載の本発明は、ブラケットの取付片部のうち水抜き用開口よりも下方の部分を、溝部のない形状にしたものであるから、ブラケット製作の曲げ加工時に、溝部の存在のより必要以上の剛性を有するものとなって曲げ加工しにくいといった不具合が生じるのを回避することができる。また、溝部が設けられていないブラケットの下方の部分の下側部分を折り曲げて、この折り曲げ部分を車体に対して立ち上がった状態として他の自動車部品のステーや台座などとして使用することができるため、ブラケットについての設計自由度の向上を図ることができる。
【００１３】
また、請求項４に記載の本発明は、車体に取り付けられるブラケットを、サスペンションストラットを収容するストラットタワーに取付けられるブラケットであるようにしたものであるから、ストラットタワーにおける水抜きを良好に行うことができ、錆の発生や品質低下を防止することができる。
【発明を実施するための最良の形態】
【００１４】
以下、本発明の一実施形態に係るブラケット取付部の水抜き構造について、図１〜図５を参照して説明する。なお、図１〜図５において、図６〜図８と同様の部分には同一の符号を付して重複する説明を省略する。
【００１５】
図１は、本発明の一実施形態に係るブラケット取付部の水抜き構造を備えた車体前部１５を示すものであって、ストラットタワー１の上端の側面１ａにブラケット２０がスポット溶接Ｗにより溶接結合されている。本実施形態において用いられるブラケット２０は、図２〜図４に示すように、断面ほぼＬ字形状のプレス成形品であって、ストラットタワー１の上端の側面１ａに取付けられる取付片部２１と、この取付片部２１の上端においてほぼ直角に屈曲成形されている部品保持片部２２とをそれぞれ有している。そして、上述の部品保持片部２２には、従来と同様に例えば３つの部品取付用のボルト挿通孔５が設けられている。
【００１６】
上述のブラケット２０の取付片部２１には、図２及び図３に示すように、この取付片部２１の上端箇所α（上端箇所２１ａ）から上下中間箇所βまで上下方向に延びる断面ほぼ半円弧状の水抜き用の溝部（ビード）２３が形成されている。そして、図４及び図５に示すように、ブラケット２０がストラットタワー１に取付けられた状態の下では、上述の溝部２３とストラットタワー１の上端の側面１ａとにより上下方向に延びる水抜き孔３０が形成されるようになっている。さらに、溝部２３の下端箇所すなわち上述の上下中間箇所βには、溝部２３に連通する水抜き用開口２４が形成されており、この水抜き用開口２４が、ブラケット２０の取付片部２１においてストラットタワー１の上端の側面１ａの近傍位置においてストラットタワー１の側部の空間３１に開放されている（図５参照）。
【００１７】
また、本実施形態においては、水抜き用開口２４の横幅Ｌ1は、図３に明示するように、溝部２３の溝幅Ｌ2よりも幅広に形成されており（すなわち、Ｌ1＞Ｌ2）、溝部２３の左右両側にそれぞれ張り出す形状となされている。
【００１８】
また、ブラケット２０の取付片部２１のうち水抜き用開口２４よりも下方の部分２１ｂは、溝部のない形状であって、その下方の部分２１ｂが取付けられるべきストラットタワー１の上端の側面１ａ部分の形状と同様の形状となされている。
【００１９】
このような構成のブラケット取付部の水抜き構造にあっては、ストラットタワー１の上面部１ｂとブラケット２の上端部分２ａとにより形成される角部７（図４及び図５参照）に溜まった水１０は、図５に示す如く水抜き孔３０を通って下方に導かれ、この水抜き孔３０の下端（取付片部２１の上下中間箇所β）に達した水１０は、水抜き用開口２４からストラットタワー１の側部の空間３１に排出される。この際、水抜き用開口２４が既述の如く取付片部２１の上下中間箇所βに形成されているので、水抜き孔３０の上下方向の長さは、従来のように取付片部２１の上下幅の全域にわたって形成される水抜き孔９（図８参照）の上下方向の長さよりも短いため、水１０に作用する表面張力が相対的に小さくなる。また、上述の水抜き用開口２４は、水抜き孔３０よりも幅広に形成されてこの水抜き孔３０から左右方向にそれぞれ張り出した形状となされているので、水抜き孔３０の下端に達した水１０はいわゆる「水切れの良い状態」で水抜き孔３０から前記空間３０に排水（放出）されることとなる。従って、これらの作用効果により、上部（角部７）に溜まった水１０を確実かつ円滑に排水することができる。
【００２０】
また、ブラケット２０の溝部２３よりも下方の部分２１ｂは、その領域に溝部を設けることなく、ストラットタワー１の上端の側面１ａの形状に合致する形状にして前記側面１ａに取付けるようにしているため、ブラケット製作のための曲げ加工に際して、溝部２３の存在により必要以上の剛性を有するものとなって曲げ加工しにくいといった不具合を生じない。また、ブラケット２０の取付片部２１の下方部分２１ｂには溝部を設けないので、図５において一点鎖線で示す如く、この下方部分２１ｂの下側部分２１ｃを折り曲げて、この折り曲げた下側部分２１ｃをストラットタワー１に取付けることなくストラットタワー１に対して立ち上がった状態として他の自動車部品のステーや台座などとして使用することができる。従って、本実施形態の水抜き構造によれば、設計自由度の向上を図ることができる。
【００２１】
以上、本発明の一実施形態について述べたが、本発明はこの実施形態に限定されるものではなく、本発明の技術的思想に基づいて各種の変形及び変更が可能である。例えば、ブラケット２０の溝部２３の形状は半円弧形状に限らず、必要に応じて様々な形状に変更可能である。さらに、水抜き用開口２４の形状も様々な形状に変更可能である。また、既述の実施形態ではブラケット２０をストラットタワー１に取付けるようにしているが、ストラットタワー１以外の各種の車体部分（車体パネル）に取付ける場合にも本発明を適用することが可能である。
【図面の簡単な説明】
【００２２】
【図１】本発明の一実施形態に係るブラケット取付部の水抜き構造を備えた自動車の車体前部を示す斜視図である。
【図２】ストラットタワーの上端の側面に取付けられたブラケットを示す斜視図である。
【図３】ブラケットの斜視図である。
【図４】ストラットタワーの上端の側面にブラケットが取付けられている状態を示す平面図である。
【図５】図４におけるＸ−Ｘ線拡大断面図である。
【図６】従来におけるブラケット取付部の水抜き構造を示すものであって、ストラットタワーの上端の側面に取付けられたブラケットを示す斜視図である。
【図７】図６の水抜き構造に用いられているブラケットの斜視図である。
【図８】ストラットタワーとブラケットとの間に形成された水抜き孔を示す断面図である。
【符号の説明】
【００２３】
１  ストラットタワー
１ａ  側面
７  角部
１０  水
２０  ブラケット
２１  取付片部
２１ａ  上端箇所
２１ｂ  下方の部分
２１ｃ  下側部分（折り曲げ部分）
２２  部品保持片部
２３  溝部（ビード）
２４  水抜き用開口
３０  水抜き孔
３１  空間
Ｓ  隙間
α  上端箇所
β  上下中間箇所
【図１】
2006056489.tif 000003
【図２】
2006056489.tif 000004
【図３】
2006056489.tif 000005
【図４】
2006056489.tif 000006
【図５】
2006056489.tif 000007
【図６】
2006056489.tif 000008
【図７】
2006056489.tif 000009
【図８】
2006056489.tif 000010